(57)【特許請求の範囲】
【請求項１】
ユーザ入力手段を有したハウジングと、所定の作動信号のユーザ入力に応答して送受器をオフフック状態に置くという所定の機能を行うように動作しうるプロセッサとを備えた無線送受器であって、
前記プロセッサは、ある期間の間前記所定の機能の実行を遅延させ、該期間の間は、ユーザによる所定の取消し信号の発生により前記所定の機能の実行が取り消されるように作動しうることを特徴とする無線送受器。
【請求項２】
前記ハウジングは、本体に取り付けられた複数のキーを含むキーパッドと、前記複数のキーのうちのある一群のキーが隠蔽されるような第１の位置と前記一群のキーが露出させられるような第２の位置との間に移動しうるように取り付けられた拡張部とを備えており、前記プロセッサは、前記拡張部の移動に応答して前記所定の機能を実行させるように動作しうる請求項１記載の無線送受器。
【請求項３】
前記所定の取消し信号のユーザによる発生は、前記拡張部を前記第１の位置へと移動させることによる請求項１または２記載の無線送受器。
【請求項４】
前記所定の取消し信号のユーザによる発生は、前記複数のキーのうちのどれかを作動させることによる請求項２または３記載の無線送受器。
【請求項５】
前記拡張部を前記第１の位置から移動させることにより、送受器がオフフック状態に置かれる請求項２から４のいずれかに記載の無線送受器。
【請求項６】
前記拡張部を前記第１の位置へ移動させることにより、送受器がオンフック状態に置かれる請求項２から５のいずれかに記載の無線送受器。
【請求項７】
前記プロセッサは、前記拡張部の種々な位置の範囲に亘って前記複数のキーのうちの露出されたキーの作動のシーケンスに対応して前記所定の機能を実行させるように作動しうる請求項２から６のうちのいずれかに記載の無線送受器。
【請求項８】
前記拡張部は、前記第１の位置と前記第２の位置との間で長手方向にスライド移動しうるように取り付けられている請求項２から７のうちのいずれかに記載の無線送受器。
【請求項９】
前記拡張部は、前記第１の位置と前記第２の位置との間の任意の中間位置を取りうる請求項８記載の無線送受器。
【請求項１０】
前記本体は、第１のトランスジューサを備えており、前記拡張部は、第２のトランスジューサを備えており、前記第１のトランスジューサおよび第２のトランスジューサは、前記拡張部が前記第１の位置、前記第２の位置および前記第１の位置と前記第２の位置との間の中間位置にあるときに、動作しうる請求項８または９記載の無線送受器。
【請求項１１】
無線送受器であって、
本体に取り付けられた複数のキーを含むキーパッド、および、該送受器がオンフック状態となると共に前記複数のキーのうちのある一群のキーが隠蔽されるような第１の位置と該送受器がオフフック状態となると共に前記一群のキーが露出させられるような第２の位置との間で移動しうるように取り付けられた拡張部を有するハウジングと、
着信、及び、前記拡張部の前記第２位置方向への移動に応答して、該送受器をオフフック状態に置くという所定の機能を実行させるように作動しうるプロセッサと
を備え、
前記プロセッサは、ある期間の間前記所定の機能の実行を遅延させ、該期間の間は、ユーザによるある所定の取消し信号の発生により前記所定の機能の実行が取り消されるように作動可能であり、
前記本体は第１のトランスデューサを有し、前記拡張部は第２のトランスデューサを有し、前記第１及び第２のトランスデューサは、前記拡張部が前記第１及び第２位置並びに前記第１及び第２位置の中間位置にあるときに作動しうる、
ことを特徴とする無線送受器。
【請求項１２】
ユーザによるある所定の取消し信号の発生により前記所定の機能の実行が取り消された後も、前記送受器は作動可能である、請求項１から１１のいずれかに記載の無線送受器。
【請求項１３】
所定の作動信号のユーザ入力に応答して送受器をオフフック状態に置くという所定の機能を実行するための方法であって、
所定の作動信号を受け取るステップと、
前記所定の作動信号に関連せしめられる機能であって、前記送受器をオフフック状態に置くという所定の機能の実行を、ある期間遅らせるステップと、
ユーザによる所定の取消し信号の発生があれば前記所定の機能の実行を取り消し、そうでなければ前記所定の機能を実行するステップと、
を備える方法。
【請求項１４】
請求項１３に記載の方法を実行しうる処理手段。
【請求項１５】
所定の作動信号のユーザ入力に応答して送受器をオフフック状態に置くという所定の機能の実行を、或る期間遅らせる手段と、
前記期間内にユーザによる所定の取消し信号の発生があったことに応答して、前記所定の機能の実行を取り消す手段と、
を備える処理手段。
【請求項１６】
無線送受器であって、
ユーザ入力手段を有するハウジングと、所定の作動信号のユーザ入力に応答して該送受器をオフフック状態に置くという所定の機能を行うように動作しうるプロセッサとを備え、
前記プロセッサは、ユーザによる所定の取消し信号の発生が前記所定の機能の実行を取り消しうる期間の間、前記所定の機能の実行を遅延させるように動作可能であり、
前記ハウジングは、本体に取り付けられた複数のキーを含むキーパッド、および、該送受器がオンフック状態となると共に前記複数のキーのうちのある一群のキーが隠蔽されるような第１の位置と該送受器がオフフック状態となると共に前記一群のキーが露出させられるような第２の位置との間で移動しうるように取り付けられた拡張部を有し、  さらに前記プロセッサは、前記拡張部の前記第２位置方向への移動に応答して、前記所定の機能を実行させるように動作しうる、
無線送受器。
【請求項１７】
着信があると、該着信があることをユーザに知らせるための信号を生成するように動作しうる無線送受器であって、
前記送受器はユーザ入力手段とプロセッサとを備え、
前記ユーザ入力手段は、前記着信に応答しうるオフフック状態に前記送受器をセットするように動作する第１のユーザ入力と、前記送受器を前記オフフック状態にセットすることを取り消す第２のユーザ入力とを備え、
前記プロセッサは、
ユーザによる前記第１のユーザ入力手段の作動に応答して前記送受器を前記オフフック状態にセットすることを開始するように構成される着信応答手段と、
前記着信応答手段の作動に対して応答しうると共に、所定の時間の間、前記着信応答手段を遅延させるように構成される、着信応答遅延手段と、
ユーザによる前記第２のユーザ入力手段の作動が前記所定の遅延時間の間にあったことに応答して前記着信に応答することを取り消し、続いて前記着信を、あたかも前記ユーザに取り扱われていなかったかのように処理するように構成される、着信応答取消手段とを備える、
無線送受器。
【発明の詳細な説明】
【０００１】
【発明の属する技術分野】
本発明は、時には無線送受器と称される無線電話に関し、特に、コンパクトな無線送受器に関するものである。
【０００２】
【従来の技術】
移動電話の分野においては、特に、容易に携帯できるように電話装置をよりコンパクトにしようとするのが一般的な傾向である。しかしながら、主として心理的な要求として、通常の有線電話とほぼ同じような感覚にて無線送受器を使用できるようにするために、その電話送受器が使用者の耳と口との間に掛け渡されるようなものとするというような相反する要求がある。
【０００３】
このような要求に応える一つの方法としては、電話の本体にヒンジ付きフラップを取り付けておき、畳み込むときにはそのフラップが電話本体に重なる位置へと枢動させられ、使用時には電話の全長が長くなるような位置へとそのフラップが枢動させられるようにする方法がある。このような電話の一つの例は、米国特許第４８４５７７２号明細書に開示されている。
【０００４】
しかしながら、このような電話は、比較的に壊れやすいもので、特に、フラップが開いているときに、損傷を受け易いものである。何故ならば、このような電話は、偶発的な衝撃や、その他の乱暴な取り扱いを非常に受け易いものであるからである。また、このヒンジ付きフラップでは、ヒンジ部を通してマイクロフォンから電話本体への導通路を信頼性のあるものとするのが難しい。
【０００５】
このようなヒンジ付きフラップに伴う問題点のうちのいくつかを克服した別の装置が、欧州特許第０４１４３６５号明細書に開示されている。この欧州特許明細書に開示されたコンパクトな電話または送受器は、本体と、該本体に対して長手方向にスライド移動しうるようにされたカバー部とを備える。その引っ込み位置では、この電話は、コンパクトとされていて、収納保管するのが容易である。引き出し位置では、この電話は、使用者の耳と口との間にほどよく掛け渡されるような寸法とされる。このような構造は、コンパクトであって、且つ比較的に頑丈である。
【０００６】
この欧州特許第０４１４３６５号明細書に開示された電話においては、カバー部を完全に引き出した位置としないと、呼応答／送出モードをイネーブルする接続とならない。したがって、この送受器は、カバー部を完全な引き出し位置としない限り、発呼したり、呼に応答したりするのに、使用できない。また、呼を受けているか、呼を発しているかに関係なしに、カバー部を閉じる動作により、その呼が終了させられてしまう。
【０００７】
【発明の概要】
本発明の第一の観点によれば、ユーザ入力手段を有したハウジングと、所定の作動信号のユーザ入力に応答してある所定のファンクションを行うように動作しうるプロセッサとを備えた無線送受器であって、前記プロセッサは、ある期間の間前記所定のファンクションの実行を遅延させ、該期間の間は、ユーザによるある所定の取消し信号の発生により前記所定のファンクションの実行が取り消されるように作動しうるような無線送受器が提供される。
【０００８】
あるファンクションの開始指令と実行との間にある遅延期間を設けることにより、ユーザには、所定の取消し信号を与えることにより、そのファンクションの実行を取り消す機会が与えられる。本発明によれば、このような機会を実現することができる。
【０００９】
ハウジングにユーザ入力手段を設けるのが適当であり、ハウジングは、本体に取り付けられた複数のキーを含むキーパッドと、前記複数のキーのうちのある一群のキーが隠蔽されるような第１の位置と前記一群のキーが露出させられるような第２の位置との間に移動しうるように取り付けられた拡張部とを備えており、プロセッサは、拡張部の移動に応答して前記所定のファンクションを実行させるように動作しうる。
【００１０】
前記所定のファンクションは、好ましくは、着呼を受けるためのオフフック状態に送受器を置くことである。
【００１１】
無線電話のための一つの望ましいオプションとしては、拡張部をその閉じた位置から移動させることにより、着呼に応答しうるようにすることがある。何故ならば、ユーザは、通話に入っていくために、送受器を引き延ばしたいことがよくあるからである。このような移動により呼に応答するような付加的なファンクションを行えるようにすることにより、ユーザは、一旦、送受器を別のパーティーと通信するための物理的状態とすれば、その呼に応答するためにさらに別のファンクションを行わずにすむのである。しかしながら、これには、ある問題がある。すなわち、電話を引き延ばすことは、しばしば、自動的または反射的応答であり、もし、この動作が呼に自動的に応答する場合には、ユーザは、応答しないままとしたい呼に対しても反射的に応答してしまう可能性がある。本発明の実施例によれば、所定の遅延期間においてユーザによって行われる付加的な動作により拡張部の移動によって開始指令されたファンクションを取り消すことができるような手段が設けられる。
【００１２】
もし、遅延期間において、ユーザがスクリーン上の発呼ライン識別情報を読み取る場合において、そのユーザは、望んでいない発呼者または都合の悪い発呼者からの着呼の受信を取り消すことができる。
【００１３】
拡張部を第１の位置から移動させることにより、送受器が呼に応答するためのオフフック状態とされ、拡張部を第１の位置へと移動させることにより、送受器が呼を終了させるオンフック状態とされるようにするのが適当である。
【００１４】
複数のキーのうちの一つのキーを作動させることにより、または、拡張部を第１の位置へと移動させることにより、所定のファンクションの実行を取り消すようにするのが好ましい。こうすることにより、一つのキーを単に作動させるだけで、または、拡張部を移動させるだけで、呼に応答するためのオフフック状態の開始指令を取り消すことができる。
【００１５】
拡張部は、第１の位置と第２の位置との間で長手方向にスライド移動しうるように取り付けられるのが適当であり、プロセッサ手段は、拡張部の位置の範囲で複数のキーのうちの露出させられたキーの作動のシーケンスに対応する所定のファンクションを実行するように作動しうるのが適当である。これにより、露出させられたキーをそのファンクションを取り消すのに使用することができるようになる。
【００１６】
本発明の第二の観点によれば、本体に取り付けられた複数のキーを含むキーパッドおよび前記複数のキーのうちのある一群のキーが隠蔽されるような第１の位置と前記一群のキーが露出させられるような第２の位置との間で移動しうるように取り付けされた拡張部を有するハウジングと、前記拡張部の移動に応答して所定のファンクションを実行させるように作動しうるプロセッサとを備えた無線送受器であって、前記プロセッサは、ある期間の間前記所定のファンクションの実行を遅延させ、該期間の間は、ユーザによるある所定の取消し信号の発生により前記所定のファンクションの実行が取り消されるように作動しうるような無線送受器が提供される。
【００１７】
【発明の実施の形態】
次に、添付図面に基づいて、本発明をより詳細に説明する。
【００１８】
図１から図１０に示す本発明の一実施例としての無線送受器は、この無線電話の電子回路の実質的にすべてを収納する本体２およびこの本体２にスライド可能なように取り付けられたカバー部３を有したハウジング１を備える。この送受器は、アンテナ５と、トランシーバ６（図２参照）と、ベースステーションとの通信チャンネルを選択するように作動するようなアルゴリズムでプログラムされた処理手段７（図２参照）とを有する。情報は、液晶ディスプレイ（ＬＣＤ）８上に表示される。
【００１９】
ハウジング１には、通常のように、３行４列に配列された０−９、＊および＃とされた第１の群のキーまたはボタン１０と、これまた通常のように、メモリ記憶およびリコール、ラストナンバーリダイヤル、コールスタート（例えば、ＳＥＮＤとされた）、コールターミネート（例えば、ＥＮＤとされた）等の如き種々な所定のファンクションを選択するための第２の群のキーまたはボタン１１とが設けられている。本明細書の目的では、用語「キー」は、マイクロプロセッサへユーザが入力するためのキーまたはボタンまたは任意の同様の素子を意味するものである。ディスプレイパネル、すなわち、ＬＣＤ８は、２つの群のキーより上でハウジングに配設されている。このディスプレイより上には、一連の孔１２が配設されている。これら孔の背後には、音声またはその他の音を無線送受器の使用者へ伝えるためのイヤーホンまたはスピーカ１３がある。カバー部は、その下方端に一連の孔１４を有している。これらの孔の背後には、マイクロフォン１５（図２参照）が取り付けられる。
【００２０】
カバー部３は、図１に例示した閉位置と図３に例示した完全開位置との間で本体に対してスライドしうるように構成されている。ハウジングの本体は、湾曲しており、カバー部は、イヤーホン１３およびマイクロフォン１５が使用者の耳および口にそれぞれ隣接した位置にくるに十分な湾曲度を与えるようにされている。本発明のこの特定の実施例のスライド部のための材料としては、使用時に満足なスライド感覚が与えられるようにテフロンを付加したポリカーボネートが選択されている。
【００２１】
閉状態では、両群のキー１０、１１は隠蔽されている（図１参照）。この閉状態で使用しうるコントロールキーは、送受器の側部に配置された音量コントロールキー１６と、パワーコントロールキー５０とだけである。完全に開いた状態では（図３参照）、両群のキー１０、１１は露出させられており、数字ボタンもコントロールボタンも選択することができる。第３のカバー部の位置を図４に例示している。この第３の位置では、カバー部は、部分的に開いており、第２の群のキー１１のみが露出させられている。この状態では、それらのコントロールキーは、依然として選択しうるが、数字キーは、隠蔽されてしまっているので、選択することはできない。コントロールキーを使用して発呼することができ、すなわち、メモリから発呼することができ、呼に応答することもできる。この実施例では、キーを物理的に隠蔽することにより、それらキーを使用できないようにしている。
【００２２】
マイクロプロセッサ７は、常に機能しうるものであるが、第１の群のキー１０が隠蔽されているときには、これらキーは、電話をするために物理的に作動させることはできない。カバー部が完全に閉じているときには、パワーキー５０以外のファンクションを実行するために作動させられうるキーは、音量キー１６だけであり、すなわち、送受器の側部に配置されていて、カバー部がどの位置にあっても露出させられているような第３のキー群だけである。この送受器は、カバー部３が閉位置にあるときには、呼に応答するために第３の群のキーを構成する音量キー１６を作動させることができるようにプログラムされている。カバー部が閉じられているときに、さらに別のキーが露出させられるようにすることもできる。
【００２３】
カバー部３は、本体２に、それに対してスライドしうるようにして取り付けられている。本体の両側部には、実質的にその長手方向にそって延びる溝２０が設けられている（図３、図４、図５参照）。カバー部の下側の両側部には、ランナー２１が配置されていて（図９参照）、これらランナー２１は、溝２０内に保持されて、そのカバー部３が、そこに捕捉されつつ、本体１に対してスライドしうるようにしている。
【００２４】
この実施例では、各群のキーの配列は、カバー部の特定の位置において、各群のキーへのアクセスができるようなものとされている。したがって、カバー部は、第１の群のキーも第２の群のキーも露出させられないような位置（閉位置）（図１参照）、または、第２の群のキーのみが露出されるような位置（中間位置）（図４参照）、または、第１の群のキーも第２の群のキーも露出させられるような位置（完全引き出し位置）（図３参照）に置かれるのが好ましい。第３の群のキー、すなわち、この実施例では音量コントロールボタン１６は、常に露出させられている。
【００２５】
カバー部をそれらの３つの特定位置に保持するために、この送受器の本体には、１対の部材２２が設けられており（図５、図１０参照）、これら部材２２は、本体内に配設されて、この送受器の本体２に配設された溝２０の各々内へと突出している。これら部材２２は、ばね装填されていて、必要に応じて、カバー部が各特定の位置から移動させられうるようにしている。これら部材２２は、弾性的であり、本体２内のホルダ２４に取り付けられ、そのつめ部２３を溝２０の開口２５を通して突き出すようにしている。このつめ部２３は、カバー部３のランナー２１の一つによって押し下げられて、溝２０内へと突き出さないようにされる。ランナー２１には、凹部２６が設けられており（図９参照）、一つの凹部２６がつめ部２３と一致するとき、カバー部３は、その位置に保持される。これら凹部は、カバー部が閉位置、中間位置および完全開位置に捕捉されるように、設けられている。
【００２６】
ランナー２１の凹部２６のうちの２つの凹部、すなわち、閉位置および中間位置に対応する凹部は、カム作用縁を有しており、それら２つのカバー部位置からカバー部をスライドさせるために特別な力を加えるときに、つめ部２３は、溝２０の底部面より下へ押し下げられて、凹部１６から外されて、カバー部３を選択した方向へスライドさせ続けることができるようにされている。中間位置に対応する凹部は、前カム作用縁および後カム作用縁を有しており、カバー部の両方向への移動を可能なものとしている。閉位置に対応する凹部は、開くのを容易とするために前カム作用縁のみを有していればよい。
【００２７】
カバー部が完全引き出し位置にあるときには、そのカバー部をさらに開くようにするのは望ましくない。何故ならば、そうすると、カバー部がこの送受器の本体から外れてしまうからである。このようなことを避けるために、第３の凹部２６は、より深くされていて、カバー部の完全引き出し方向における衝接面には、カム作用面を設けない。こうすることにより、より完全な止めが与えられて、カバー部をそれ以上は引き出せないようにすることができる。付属手段として、一体成形プラスチックピン２７（図９参照）が、送受器のカバー部３の両側に設けられている。これらのピンの各々は、この送受器の本体２に配設された対応する面に当接して、カバー部３の引き出しを実質的に阻止する。
【００２８】
図９、図１１および図１２から分かるように、マイクロフォン１５は、このマイクロフォン１５の音響特性を改善するように、マイクロフォンホルダ３３と共に音響減衰器として作用する発泡プラスチック部材３２およびフィルタ３１と一緒に、小さな可撓性のあるプリント回路基板３０に取り付けられている。可撓性プリント回路基板３０は、マイクロフォン１５と、本体のハウジング内に配設された送受器の電子回路部との間の接触を維持するための２つの導電トラック３４を含んでいる。この可撓性プリント回路基板３０は、裸のプラスチックカバー部の下面へ取り付けられる。このような取り付けを行う適当な方法は、次のようである。開口３６を有するポリカーボネートフォイル３５を、それらの開口３６が導電トラック３４に一致するようにして、プリント回路基板３０へ積層して、それから、その部分をカバー部３に対する下面に対して超音波溶接する。それから、マイクロフォンホルダ３３のマイクロフォン１５を取り囲むマイクロフォンハウジング３７が取り付けられる。こうして構成された組立体３８を、一点鎖線３９で示すガイドピンを用いて、カバー部３へ取り付ける。
【００２９】
所定位置にあるときには、２つの導電スライドトラック３４は、実質的にカバー部の一端から他端へと延びていて、開位置および閉位置を含め且つ開位置と閉位置との間のカバー部のすべての位置において、マイクロフォン１５が送受器の電子回路部と電気的に接触した状態に維持されるようにする。マイクロフォンハウジング３７は、また、カバー部の下面に適当に超音波溶接され得て、そのマイクロフォンおよびその構成部品を包囲して、汚れやその他の損傷に対する付加的な保護をする。所定位置にあるときには、マイクロフォン１５は、カバー部の下端部の孔１４の背後に置かれて、２つのスライドトラックに接続されている。
【００３０】
マイクロフォンコネクタ４０は、送受器の本体に超音波溶接によって取り付けられるのが適当である（図５参照）。このコネクタは、接触部４１またはその他の機構により送受器の本体の主プリント回路基板と電気的に接触するように配置される。このコネクタは、カバー部がどの位置にあっても２つのスライドトラックと接触していて、送受器の主プロセッサとマイクロフォンとの間の電気接続を与えるように、配置されている。マイクロフォンは、常にスライドトラックを介して主プロセッサと電気的に接触しているので、着呼または発呼に際してマイクロフォンからの信号を主プロセッサにて使用することができる。この接続は、また、カバー部の移動中においても維持される。したがって、この送受器は、カバー部が本体に対してどのような位置にあっても適切なキーが露出されている限りにおいて、使用することができる。このマイクロフォンコネクタは、図６から図８により詳細に示されている。
【００３１】
マイクロフォンコネクタ４０は、２つのスライドトラックの各々と接触するように配置された２つのばね接触子４２を備えている。このばね接触子の受け面４３は、スライドトラックとの接触を良くするために平坦化されている。これら接触子のばね装填により、マイクロフォンコネクタ素子でのカバー部と本体との間の距離の範囲に亘ってマイクロフォンとマイクロプロセッサとの間の良好な電気的接触を確実なものとすることができる。これにより、製造工程での許容誤差をある程度大きくすることができる。また、カバー部が、スライドの各位置でマイクロフォンコネクタから異なる距離にあってもよいようにすることができる。
【００３２】
信頼性をよくするためには、マイクロフォンコネクタとスライドトラックとの間の電気接続は、磨耗し難いもので且つ汚れやその他の損傷に対して耐性のあるものであるのが望ましい。この特定の実施例では、コネクタには、２０ミクロンの厚さのパラジウムニッケルのメッキが施され、さらに、２ミクロンの厚さの硬金のメッキが施されている。スライドトラック３４にも、寿命を改善するために、硬金が、この実施例では、５ミクロンの厚さにメッキされている。
【００３３】
マイクロフォンコネクタは、また、組み付けマイクロスイッチ４４を有している。このマイクロスイッチ４４は、カバー部の下面に配設された突出部によって作動させられる。このマイクロスイッチは、カバー部が閉位置にないことを示す信号を与える。この信号は、カバー部の閉位置からの移動を検出するのに使用される。これにより、カバー部の移動を、着呼に応答するのに使用することができるようになる。
【００３４】
マイクロスイッチ４４は、本体からカバー部３の方へと突出するばね装填部材４５と、このばね装填部材と整列した接触アーム４６とを有しており、ばね装填部材がある十分な量だけ押し下げられたときに、接触アームとの接触がなされるようになっている。このような接触がなされるときに、ある信号がマイクロプロセッサへ送られる。カバー部が閉位置にあるときに、マイクロスイッチに対応する位置にくるように、カバー部３の下面に突出部４７が設けられている。この突出部は、カバー部が閉位置の方へとスライドさせられるにつれて、ばね装填部材を徐々に押圧して接触アームと接触させるようにするカム作用面を有している。このマイクロスイッチ４４は、カバー部が閉位置にあるときに閉じられ、したがって、このマイクロスイッチからの信号は、カバー部が閉位置にあるか否かの指示として使用されうる。
【００３５】
マイクロスイッチからの入力をマイクロプロセッサへ与えることにより、カバー部の位置は、マイクロプロセッサへの付加的指示として使用されうる。カバー部を閉位置から移動させるときに、呼に応答でき、および／または、カバー部を閉じるとき、呼を終了させることができる。
【００３６】
この送受器の動作モードのうちの一つは、「任意キー応答」モードである。もし、送受器がこのモードにあって、着呼が指示される場合には、この送受器は、音量コントロールキーを含めてパワーキー以外の露出されたキーのうちの任意のキーを押すことにより、その呼を受信するためのオフフック状態に置かれうる。唯一の制約は、使用者が作動するためにどのキーが露出されているかということだけである。送受器のカバー部が完全に開いているときには、使用しうるキーのうちの任意のキーを呼に応答するために使用することができる。
【００３７】
「任意キー応答」モードにあるときにおいて、もし、カバー部が閉じている場合には、２つのキー、すなわち、音量コントロールキー１６およびパワーコントロールキー５０が露出されている。この送受器は、閉じられてパワーアップされるか、または、閉じられてパワーダウンされうる。もし、この送受器がパワーアップされている場合には、この送受器は、スタンバイ状態、すなわち、呼を受ける状態にある。もし、この送受器がこの送受器に対する着呼があることを示すページングメッセージを受ける場合には、その呼に対する応答の仕方は２つある。すなわち、音量コントロールキーを作動するか、カバー部を閉位置からスライドさせるかである。マイクロプロセッサは、マイクロスイッチからの信号を使用して、カバー部が閉位置にあることを判断する。したがって、カバー部が閉じられているときに音量コントロールキーから受け取られるどの信号も、着呼を受けるのに使用されうる。同様に、マイクロスイッチがカバー部の閉じていることを示している状態では、カバー部をその閉位置から移動させることにより、マイクロスイッチは、このような移動をマイクロプロセッサ７へ指示するようにさせられる。この時、この信号もまた、送受器を、着呼を受け取るためのオフフック状態へとするのに使用することができる。
【００３８】
この送受器が「任意キー応答」モード以外のモードにあるときには、呼に応答するには、ＳＥＮＤ（送出）キーを押すか、または、カバー部が閉じている場合には、カバー部を移動するか、しなければならない。
【００３９】
ＥＮＤ（終了）キーが露出されているならば、そのＥＮＤキーを押すことにより、呼を終了させることができ、または、カバー部を閉じることにより、呼を終了させることができる。電話のその他のすべてのファンクションは、そのファンクションを作動させるに必要なキーが露出されていて使用者が作動しうるようになっている場合には、作動しうるものである。マイクロフォンおよびイヤーホンは、カバー部がどの位置にあってもマイクロプロセッサに接続されており、また、キーは、それらが作動されたかを判定するために継続的にポーリングされている。
【００４０】
次に、図１３を参照して、着呼に応答するためにカバー部３を使用する電話の動作について説明する。送受器が着呼を指示するページング信号を検出するとき（ステップ６０）、送受器は、送受器がページングされていることを、その使用者に警告する信号を発生する。この信号は、可聴的なものでも、可視的なものでも、または、別の仕方で検知しうるようなもの、例えば、体感しうるようなものであってよい。このとき、使用者は、その呼に応答するか否かを決める立場にある。送受器は、そのページング信号から発呼ライン識別情報を読み出してその呼を発している者が誰であるかの指示を表示するようにすることも任意でできる。このような指示は、ＬＣＤに表示されうる。
【００４１】
本発明のこの実施例の送受器では、カバー部が閉位置にあるときに受けた呼に対して、そのカバー部をその後に開くことにより、応答することができる。プロセッサは、マイクロスイッチ４４からの信号の状態の変化から、カバー部がその閉位置から移動され、すなわち、開かれたと判断する（ステップ６１）。その呼に直ぐに応答するというのでなく、プロセッサは、ある期間ＴL の間、送受器をオフフック状態とするのを遅らせる。この期間は、使用者がそのプロセスに介在することができる程に長いが、その呼に応答する前にそのページング信号が終了してしまうことが起こってしまう可能性がある程には長くないのが望ましく、１秒程度が適当である。
【００４２】
カバー部が開かれたとき、プロセッサ７は、マイクロスイッチからの信号に関して遅延期間ＴL 以内に、複数のキーのうちのＥＮＤキーが作動されたか、または、カバー部が閉じられたかを知るためのチェックを行う（ステップ６２）。もし、カバー部が閉じられたか、ＥＮＤキーが押されたか、または、作動されたかした場合には、送受器は、その呼に応答するためのオフフック状態に置かれず、使用者には、着呼があることをリンギングまたは他の仕方で指示し続け、これは、その送受器がもはやページングされなくなるまで続けられる（ステップ６３）。しかしながら、もし、ＥＮＤキーが作動されず、または、カバー部が閉じられずに、期間ＴL が経過する場合には、使用者がさらに入力しなくともその呼に対する応答がなされる（ステップ６４）。１秒程度のこのような遅延により、着呼が指示されたときに使用者が誤ってカバー部をスライドさせてしまったときでも、その使用者は、ＥＮＤキーを押すか、カバー部を再度スライドさせて閉じるかすることで、そのファンクションの実行をオーバーライド（無効と）することができる。カバー部を閉位置から移動させることによって指示されるファンクションの実行をオーバーライドするために、他のキーを作動させるようにすることもできる。
【００４３】
本発明は、特許請求の範囲の記載にて限定した発明に関連するか否か、または、前述したような問題のうちのあるもの、またはすべてを解消しうるか否かにかかわらず、ここに明示的に記載した新規な特徴またはそれらの組み合わせたもの、または、それらの普遍化したものを含むものである。
【００４４】
以上述べたことから、本発明の範囲内において種々な変形態様がなされうることは、当業者には明らかであろう。
【図面の簡単な説明】
【図１】スライドカバー部を閉じた状態の本発明による無線送受器の斜視図である。
【図２】無線送受器の概略図である。
【図３】スライドカバー部が完全に開いた状態の図１の無線送受器の斜視図である。
【図４】スライドカバー部が中間位置にある図１の無線送受器の斜視図である。
【図５】スライドカバー部を取り外してマイクロフォンコネクタを示している図１の無線送受器の本体の部分斜視図である。
【図６】図４のマイクロフォンコネクタの斜視図である。
【図７】図４のマイクロフォンコネクタを他端から見た斜視図である。
【図８】図４のマイクロフォンコネクタの断面図である。
【図９】図１の無線送受器のスライドカバー部の下側から見た部分斜視図である。
【図１０】スライドカバー部と係合する溝を示している無線送受器の本体の部分斜視図である。
【図１１】図９のマイクロフォンハウジングの分解部品配列図である。
【図１２】図９のカバーおよびマイクロフォンハウジングの分解部品配列斜視図である。
【図１３】本発明の一実施例の遅延応答特性を例示するフローチャートを示す図である。
【符号の説明】
１  ハウジング
２  本体
３  カバー部
５  アンテナ
６  トランシーバ
７  マイクロプロセッサ
８  液晶ディスプレイ
１０  第１の群のキー
１１  第２の群のキー
１２  孔
１３  イヤーホン
１４  孔
１５  マイクロフォン
１６  音量コントロールキー
２０  溝
２１  ランナー
２２  部材
２３  つめ部
２４  ホルダー
２５  開口
２６  凹部
２７  プラスチックピン
３０  プリント回路基板
３１  フィルタ
３２  発泡プラスチック部材
３３  マイクロフォンホルダ
３４  導電トラック
３５  ポリカーボネートフォイル
３６  開口
３７  マイクロフォンハウジング
３８  組立体
４０  マイクロフォンコネクタ
４１  接触部
４２  ばね接触子
４３  受け面
４４  マイクロスイッチ
４５  ばね装填部材
４６  接触アーム
４７  突出部
５０  パワーコントロールキー
【図１】
0004266393.tif 000002
【図２】
0004266393.tif 000003
【図３】
0004266393.tif 000004
【図４】
0004266393.tif 000005
【図５】
0004266393.tif 000006
【図６】
0004266393.tif 000007
【図７】
0004266393.tif 000008
【図８】
0004266393.tif 000009
【図９】
0004266393.tif 000010
【図１０】
0004266393.tif 000011
【図１１】
0004266393.tif 000012
【図１２】
0004266393.tif 000013
【図１３】
0004266393.tif 000014